(57)【要約】      （修正有）【課題】工事用黒板のショルダーストラップに関わり、特に、黒板の携帯並びに撮影において簡略化する。【解決手段】ストラップ本体１１の片面にメスのマジックテープ１２その他の部分にオスのマジックテープ１３を貼付け下端に着脱用金具１４を取付けたストラップを２本、中央部で組合せることにより、１本のショルダーストラップを構成する。撮影対象物が高所の撮影では、ショルダーストラップの中央部を剥し、それぞれのストラップをパイプ等の撮影部材に吊るすことで撮影を容易にする。また、不要時の着脱を容易とする。【選択図】図１
0003118304.tif 000002
【実用新案登録請求の範囲】
【請求項１】
マジックテープ（登録商標）及び着脱用金具を用いたストラップを工事用黒板に取付けることで、携帯をハンズフリーにすると共に前記ストラップのマジックテープ部を着脱し、撮影部材に吊るし、撮影を簡略化することを特徴とする。また、不要時は、前記金具により、容易に黒板からの着脱を可能とした。
撮影用補助機能を備えた工事黒板用ショルダーストラップ。
【考案の詳細な説明】
【技術分野】
【０００１】  本考案は、マジックテープ（登録商標）及び着脱用金具をストラップに設け、工事用黒板の携帯及び写真撮影を容易するためのショルダーストラップに関するものである。
【背景技術】
【０００２】  工事用黒板の携帯並びに撮影対象物が高所の場合の撮影を補助するためのショルダーストラップに関するものである。
【考案の開示】
【考案が解決しようとする課題】
【０００３】  従来、例えば、ショルダーベルトとしては、特開２００１−１９７９１７、工事用黒板としては、実開平６−６８８８８，特開平９−１９８３など、開示されているものが知られている。【０００４】工事写真の撮影に向かう際、カメラ，棒スケール，図面など携帯する機材などが多く、持運びに苦労をしていた。【０００５】  また、撮影対象物が高所にある場合、黒板の持ち手が必要となることや図４の実開平６−６８８８８号公報に開示されている黒板のように、黒板本体３２の支持部材４１にクリップ部材４２を取付けたもので鉄筋４３などに吊るして、使用していた。【０００６】  しかしながら、クリップを使用した場合では、鉄筋など、吊るす場所が限られていた。【０００７】  すなわち、建築現場などでは、現場の進捗状況を撮影することが頻繁に行われているにもかかわらず、黒板の携帯に苦労していた。【０００８】  また、黒板を高所に吊るすための、場所が限られていたため、撮影することが困難であるという問題があった。【０００９】  本考案は、黒板の携帯を容易にすると共に撮影時の補助具としての機能を兼備えた工事黒板用ショルダーストラップを提供しようとするものである。
【課題を解決するための手段】
【００１０】  本考案にかかわる、撮影補助機能付工事黒板用ショルダーストラップは、ストラップの片面に先端部をオスの、その他の部分をメスのマジックテープを貼付け、着脱用金具をストラップに設けたもので、これを２本用いることで構成される。これを黒板本体に取付けた吊カンに、着脱用金具を通して、使用するものである。
【考案の効果】
【００１１】  上述の様に、本考案を用いることで黒板の携帯をハンズフリーとすることができ、その他の機材の持運びを容易にするほか、ハンズフリー状態の場合、転倒などの危険回避にも有効である。【００１２】  また、撮影補助具にストラップを用いることで吊るす場所の制約が拡大し、撮影時の労力を低減することにも役立つ。
【考案を実施するための最良の形態】
【００１３】  ２本のストラップの片側に貼り付けたマジックテープ部を互い違いに先端部分で貼り合わせ、１本のショルダーストラップを作る。これを黒板本体に取付けた吊カンに、ショルダーストラップの着脱用金具を通して、黒板を携帯する。【００１４】  撮影時には、ショルダーストラップのマジックテープを剥し、黒板の左右に１本ずつのストラップが付いた状態にする。このストラップを左右１本ずつ、黒板の傾き、ねじれ及び吊り場所の段差などに応じ長さを調整しながら、撮影部材へ吊るし、ストラップの先端と下端をマジックテープで止める。
【実施例】
【００１５】  以下、本案件の詳細を図面に従って、一実施例を説明する。
図１は、本考案の撮影補助機能付工事黒板用ショルダーストラップの一実施例を示すもので、この図において符号１１は、ストラップの片面にメスのマジックテープ、１２は、オスのマジックテープを貼り付けた状態を示し、その下端に着脱金具１３を取付け、これを２本用いることでショルダーストラップが構成される。【００１６】  図２は、この実施例で黒板本体２２の左右、上部に吊カン２１を取付け、そこに着脱用金具１３を通し、黒板とショルダーストラップを連結させ、黒板を携帯する。
この際、従来のショルダーベルトでは長さ調整金具を介して調整を行っていたが、この場合は、マジックテープの貼付け位置を変えることで容易に調整が可能である。【００１６】  図３は、前述のショルダーストラップを撮影補助具として、使用した実施例である。撮影対象物３２を撮影するために、パイプ３１にストラップを介して、黒板を吊るしたものである。
この際、ストラップの長さを調整することで、ある一定の径または、それ以外の構造物にも対応が可能である。
また、黒板の傾き、ねじれを解消し、撮影対象物に対して黒板が正面を向くよう、容易に調整が可能である。【００１７】  なお、以上述べた実施例では、マジックテープを用いた例について説明したが、本考案の実施例に限定されるものではなく、ストラップを用いて、撮影対象物の吊り場所に確実に固定できるのもであれば良いことは勿論である。
【図面の簡単な説明】
【００１８】
【図１】本考案の撮影補助機能付工事黒板用ショルダーストラップの構成図である。
【図２】本ショルダーストラップの一実施例を示す正面図である。
【図３】本ストラップを撮影補助具とした場合の一実施例を示す正面図である。
【図４】従来の工事用黒板を示す説明図である。
【符号の説明】
【００１９】  １１  ストラップ本体
１２  メスのマジックテープ
１３  オスのマジックテープ
１４  着脱用金具
２１  吊カン
２２  工事用黒板本体
３１  パイプ
３２  撮影対象物
４１  黒板支持部材
４２  クリップ部材
４３  鉄筋
【図１】
0003118304.tif 000003
【図２】
0003118304.tif 000004
【図３】
0003118304.tif 000005
【図４】
0003118304.tif 000006
【手続補正書】
【提出日】平成17年9月12日(2005.9.12)
【手続補正１】
【補正対象書類名】実用新案登録請求の範囲
【補正対象項目名】全文
【補正方法】変更
【補正の内容】
【実用新案登録請求の範囲】
【請求項１】
工事用黒板に取付けた吊カンに装着できるよう、端部に着脱用金具を備えた２本からなるストラップであって、前記ストラップの各々の片側の端面にオスのマジックテープ（登録商標）を貼り付け、同じ面の他の部分にメスのマジックテープを貼り付け、２本のストラップで構成される、工事黒板用ショルダーストラップ。
【手続補正２】
【補正対象書類名】明細書
【補正対象項目名】全文
【補正方法】変更
【補正の内容】
【考案の詳細な説明】
【技術分野】
【０００１】  本考案は、マジックテープ（登録商標）及び着脱用金具をストラップに設け、工事用黒板の携帯及び写真撮影を容易するためのショルダーストラップに関するものである。
【背景技術】
【０００２】  工事用黒板の携帯並びに撮影対象物が高所の場合の撮影を補助するためのショルダーストラップに関するものである。
【考案の開示】
【考案が解決しようとする課題】
【０００３】  従来、例えば、ショルダーベルトとしては、特開２００１−１９７９１７、工事用黒板としては、実開平６−６８８８８，特開平９−１９８３など、開示されているものが知られている。【０００４】工事写真の撮影に向かう際、カメラ，棒スケール，図面など携帯する機材などが多く、持運びに苦労をしていた。【０００５】また、撮影対象物が高所にある場合、黒板の持ち手が必要となることや図４の実開平６−６８８８８号公報に開示されている黒板のように、黒板本体２２の支持部材４１にクリップ部材４２を取付けたもので鉄筋４３などに吊るして、使用していた。【０００６】しかしながら、クリップを使用した場合では、鉄筋など、吊るす場所が限られていた。【０００７】すなわち、建築現場などでは、現場の進捗状況を撮影することが頻繁に行われているにもかかわらず、黒板の携帯に苦労していた。【０００８】また、黒板を高所に吊るすための、場所が限られていたため、撮影することが困難であるという問題があった。【０００９】本考案は、黒板の携帯を容易にすると共に撮影時の補助具としての機能を兼備えた工事黒板用ショルダーストラップを提供しようとするものである。
【課題を解決するための手段】
【００１０】  本考案にかかわる、撮影補助機能付工事黒板用ショルダーストラップは、ストラップの片面に先端部をオスの、その他の部分をメスのマジックテープを貼付け、着脱用金具をストラップに設けたもので、これを２本用いることで構成される。これを黒板本体に取付けた吊カンに、着脱用金具を通して、使用するものである。
【考案の効果】
【００１１】  上述の様に、本考案を用いることで黒板の携帯をハンズフリーとすることができ、その他の機材の持運びを容易にするほか、ハンズフリー状態の場合、転倒などの危険回避にも有効である。【００１２】  また、撮影補助具にストラップを用いることで吊るす場所の制約が拡大し、撮影時の労力を低減することにも役立つ。
【考案を実施するための最良の形態】
【００１３】  ２本のストラップの片側に貼り付けたマジックテープ部を互い違いに先端部分で貼り合わせ、１本のショルダーストラップを作る。これを黒板本体に取付けた吊カンに、ショルダーストラップの着脱金具を通して、黒板を携帯する。【００１４】  撮影時には、ショルダーストラップのマジックテープを剥し、黒板の左右に１本ずつのストラップが付いた状態にする。このストラップを左右１本ずつ、黒板の傾き、ねじれ及び吊り場所の段差などに応じ長さを調整しながら、撮影部材へ吊るし、ストラップの先端と下端をマジックテープで止める。
【実施例】
【００１５】  以下、本案件の詳細を図面に従って、一実施例を説明する。
図１は、本考案の撮影補助機能付工事黒板用ショルダーストラップの一実施例を示すもので、この図において符号１２は、ストラップ本体１１の片面にメスのマジックテープ、１３は、オスのマジックテープを貼り付けた状態を示し、その下端に着脱金具１４を取付け、これを２本用いることでショルダーストラップが構成される。【００１６】  図２は、この実施例で黒板本体２２の左右、上部に吊カン２１を取付け、そこに着脱用金具１４を通し、黒板とショルダーストラップを連結させ、黒板を携帯する。
この際、従来のショルダーベルトでは長さ調整金具を介して調整を行っていたが、この場合は、マジックテープの貼付け位置を変えることで容易に調整が可能である。【００１７】  図３は、前述のショルダーストラップを撮影補助具として、使用した実施例である。撮影対象物３２を撮影するために、パイプ３１にストラップを介して、黒板を吊るしたものである。
この際、ストラップの長さを調整することで、ある一定の径または、それ以外の構造物にも対応が可能である。
また、黒板の傾き、ねじれを解消し、撮影対象物に対して黒板が正面を向くよう、容易に調整が可能である。【００１８】  なお、以上述べた実施例では、マジックテープを用いた例について説明したが、本考案の実施例に限定されるものではなく、ストラップを用いて、撮影対象物の吊り場所に確実に固定できるのもであれば良いことは勿論である。
【図面の簡単な説明】
【００１９】
【図１】本考案の撮影補助機能付工事黒板用ショルダーストラップの構成図である。
【図２】本ショルダーストラップの一実施例を示す正面図である。
【図３】本ストラップを撮影補助具とした場合の一実施例を示す正面図である。
【図４】従来の工事用黒板を示す説明図である。
【符号の説明】
【００２０】  １１  ストラップ本体
１２  メスのマジックテープ
１３  オスのマジックテープ
１４  着脱用金具
２１  吊カン
２２  工事用黒板本体
３１  パイプ
３２  撮影対象物
４１  黒板支持部材
４２  クリップ部材
４３  鉄筋